(57)【要約】【課題】  １つの操作部材への異なる方向への操作により、２つの異なるロックを同時に解除すること、および、所望したロックのみを個別に解除することが可能なロック機構を提供することを目的とする。【解決手段】  第１のロックを実現する第１のロック部材と、第１とは異なる第２のロックを実現する第２のロック部材と、スライドおよび回転可能な操作部材と、を備え、操作部材を第１の方向にスライドさせることにより、第１のロック部材による第１のロックが解除され、操作部材を第１の方向とは異なる第２の方向にスライドさせることにより第２のロックが解除され、操作部材を回転させることにより、第１のロック部材による第１のロックおよび第２のロック部材による第２のロックの両方が解除されるように構成した。【選択図】  図２
2013107339.tif 000002
【特許請求の範囲】
【請求項１】
インクリボンカセットおよび用紙カセットがそれぞれ着脱可能なプリンタ装置であって、
前記インクリボンカセットをロックする第１のロック部材と、
前記用紙カセットをロックする第２のロック部材と、
スライドおよび回転の操作が可能な操作部材と、を備え、
前記操作部材を第１の方向にスライドさせることにより、前記第１のロック部材による前記インクリボンカセットのロックが解除され、
前記操作部材を前記第１の方向とは異なる第２の方向にスライドさせることにより前記第２のロック部材による前記用紙カセットのロックが解除され、
前記操作部材を回転させることにより、前記第１のロック部材による前記インクリボンカセットのロックおよび前記第２のロック部材による前記用紙カセットのロックの両方が解除されることを特徴とするプリンタ装置。
【請求項２】
前記第１のロック部材は、前記インクリボンカセットをロックする方向に付勢され、
前記第２のロック部材は、前記用紙カセットをロックする方向に付勢されていることを特徴とする請求項１に記載のプリンタ装置。
【請求項３】
前記プリンタ装置に装着されているインクリボンカセットを取り出し方向に付勢するための第１の付勢手段と、
前記プリンタ装置に装着されている用紙カセットを取り出し方向に付勢する第２の付勢手段を有することを特徴とする請求項１または２に記載のプリンタ装置。
【請求項４】
前記第１のロック部材及び前記第２のロック部材は、前記第１の方向および第２の方向に移動可能に構成されており、前記第１のロック部材が前記第１の方向に移動することにより前記インクリボンカセットのロックが解除され、前記第２のロック部材が前記第２の方向に移動することにより前記用紙カセットのロックが解除されることを特徴とする請求項１ないし３のいずれか１項に記載のプリンタ装置。
【請求項５】
前記第１のロック部材は、前記第２の方向に付勢され、前記第２のロック部材は前記第１の方向に付勢されていることを特徴とする請求項４に記載のプリンタ装置。
【請求項６】
前記第１のロック部材および前記第２のロック部材にはそれぞれフォロアが設けられており、前記操作部材が操作されたことに応じて、前記操作部材の裏面に設けられたカム溝に案内されて、前記第１のロック部材および／または前記第２のロック部材が移動することを特徴とする請求項４または５に記載のプリンタ装置。
【請求項７】
前記第１のロック部材および前記第２のロック部材がロック状態のときは、前記第１のロック部材のフォロアは前記カム溝の前記第１の方向とは逆側の端部に位置し、前記第２のロック部材のフォロアは前記カム溝の前記第２の方向とは逆側の端部に位置していることを特徴とする請求項６に記載のプリンタ装置。
【請求項８】
前記カム溝は、楕円形状をしており、前記操作部材を回転させることに応じて、前記第１のロック部材および前記第２のロック部材のフォロアが、前記回転の回転中心側に移動することを特徴とする請求項６または７に記載のプリンタ装置。
【請求項９】
前記用紙カセットに収納されている用紙に、前記インクリボンカセットに収納されているインクリボンのインクを印刷するための印刷動作を実行するための印刷機構と、を有することを特徴とする請求項１ないし８のいずれか１項に記載のプリンタ装置。
【請求項１０】
前記印刷機構により印刷動作が実行される間、前記操作部材のスライドおよび回転を規制する規制機構を有することを特徴とする請求項９に記載のプリンタ装置。
【請求項１１】
前記操作部材への操作に連動して移動するスライド移動するリンク部材を有し、
前記規制機構は、印刷動作の開始に応じて、前記リンク部材の移動を規制することにより前記操作部材のスライドおよび回転を規制することを特徴とする請求項１０に記載のプリンタ装置。
【請求項１２】
第１のロックを実現する第１のロック部材と、
前記第１とは異なる第２のロックを実現する第２のロック部材と、
スライドおよび回転の操作が可能な操作部材と、を備え、
前記操作部材を第１の方向にスライドさせることにより、前記第１のロック部材による前記第１のロックが解除され、前記操作部材を前記第１の方向とは異なる第２の方向にスライドさせることにより前記第２のロックが解除され、前記操作部材を回転させることにより、前記第１のロック部材による前記第１のロックおよび前記第２のロック部材による前記第２のロックの両方が解除されるように構成したロック解除機構。
【発明の詳細な説明】
【技術分野】
【０００１】
本発明は、２つの異なるロックを解除するためのロック解除機構およびロック解除機構を備えたプリンタ装置に関するものである。
【背景技術】
【０００２】
従来から画像や文字を用紙に印刷する手段として、様々な方式による記録装置が提案されており、家庭用で簡単に印刷が可能なプリンタが多く普及している。このようなプリンタ装置では、インクリボンと用紙をプリンタ装置にセットし、外部記憶媒体や外部記憶装置から画像を取り込んで選択すれば印刷を行うことが可能である。このようなプリンタの種類の中ではインクリボンと用紙をそれぞれ専用カセットに装着されたものを装置本体に装填して使用する昇華型プリンタ装置が挙げられる。
【０００３】
このような着脱可能なインクリボンカセットおよび用紙カセットを有するプリンタ装置において、インクリボンカセットおよび用紙カセットを同時に交換したい場合は、それぞれのカセットを別々に操作して取り出す必要があった。
【０００４】
これに対して、一つのレバーで複数のロック解除を行う例として、特許文献１では本体（かみそりヘッド）に対して第一のユニット（外刃ホルダー）と第二のユニット（外刃カセット）を個別に分離操作でき、ロック機構を簡素化するという構成がある。これは、第一のユニットと第二のユニットのいずれか一方をロック解除し、あるいは、両者ロック状態を一つの操作部材で同時にロック解除することを可能としている。第一のユニットをロック保持する第一の係合体と、第二のユニットをロック保持する第二の係合体が操作ボタンと係合している。そして、操作ボタンを同一方向に押し込むと、第一の係合体を解除する第一の解除位置と、第二の係合体を解除する第二の解除位置を操作することを可能とすることになる。
【先行技術文献】
【特許文献】
【０００５】
【特許文献１】特開２００５−１１１００４号公報
【発明の概要】
【発明が解決しようとする課題】
【０００６】
しかしながら、特許文献１のように、二つの解除位置を設けて操作ボタンを同一方向に押し込んで第一と第二の解除位置を設ける構成のものは、第二のユニットを解除するために操作した場合は、第一の係合体よりも先に第二の係合体が解除されるため問題ない。しかし、第一のユニットを解除するために、第一の係合体を解除しようとすると、先に第二の係合体が解除されてしまうため、第一のユニットのロックを解除するためには、第二のユニットのロックも解除されてしまうことになる。よって、一つのロックを解除することと、二つのロックを同時に解除することは可能であるが、全く機能のことなるもう片方のロックを単独で解除することが出来ない。
【０００７】
そこで、本発明は上記の課題を解決するものであり、その目的は、１つの操作部材への異なる方向への操作により、２つの異なるロックを同時に解除すること、および、所望したロックのみを個別に解除することが可能なロック機構を提供することを目的とする。
【課題を解決するための手段】
【０００８】
上述の目的を達成するための、本発明のロック機構は、
第１のロックを実現する第１のロック部材と、第１とは異なる第２のロックを実現する第２のロック部材と、スライドおよび回転可能な操作部材と、を備え、操作部材を第１の方向にスライドさせることにより、第１のロック部材による第１のロックが解除され、操作部材を第１の方向とは異なる第２の方向にスライドさせることにより第２のロックが解除され、操作部材を回転させることにより、第１のロック部材による第１のロックおよび第２のロック部材による第２のロックの両方が解除されるように構成したことを特徴とする。
【発明の効果】
【０００９】
本発明によれば、１つの操作部材への異なる方向への操作により、２つの異なるロックを同時に解除すること、および、所望したロックを個別に解除することが可能となる。
【図面の簡単な説明】
【００１０】
【図１】本発明に関するプリンタ装置全体構成における斜視図
【図２】（ａ）カセット装着時プリンタ全体構成図、（ｂ）カセット装着時ロックレバー拡大簡略図
【図３】（ａ）ロックレバー摺動溝図、（ｂ）ロックレバー回転時詳細図
【図４】（ａ）インクリボンカセット取り出し時全体構成図、（ｂ）インクリボンカセット取り出し状態拡大簡略図
【図５】（ａ）カセット同時取り出し時全体構成図、（ｂ）カセット同時取り出し状態拡大簡略図
【図６】（ａ）インターロック時概略図、（ｂ）ロック部構成図
【発明を実施するための形態】
【００１１】
以下に、本発明の好ましい実施形態を添付の図面に基づいて詳細に説明する。
【００１２】
図１、図２、図３は本発明の実施形態の概略機構を示す斜視図、および概略図である。ここで、本発明の実施形態である記録用紙にロール紙を用いた昇華型プリンタの構成を説明する。記録用紙を本体に装填するには、小巻ロール紙をロール紙専用のカセットに収納し、プリンタ本体に装着する構成としている。また、昇華型インクリボンフィルムが小巻にされて巻き取り側と供給側でボビンによって分けされたインクリボンが収納されたインクリボンカセット２をプリンタ本体に装着して使用する。本実施形態では、ロック解除機構を有するプリンタ装置について説明するが、プリンタ装置の印刷方式や印刷機構についてはこれに限るものではない。プリンタ装置専用のインクリボンカセットと用紙カセットを装着するプリンタ装置であれば適応可能である。また、プリンタ装置以外でも、２つのロック機能を有する装置であれば、本発明のロック解除機構は適応可能である。
【００１３】
図１は本発明に関するプリンタ装置全体構成における斜視図である。図１で示すように本実施形態のプリンタ１は装置側面の一部が開閉可能な構成となっている。プリンタ１の側面には各カセットの挿入口の開口を閉じており、外装部品１１に回動可能に保持された、カセットカバー１３が備えられている。カセット蓋１２を開くと、プリンタ１内部構造を保護したカセットカバー１３が備えられ、インクリボンカセット２と用紙カセット３の挿入部が開口している。また、カセットカバー１３のインクリボンカセット２と用紙カセット３の開口部付近には、レバーカバー１４で覆われた後述するロック機構４が備えられている。
【００１４】
図２は本発明の実施形態におけるプリンタ構成概略図である。図２（ａ）はカセット装着時プリンタ全体構成図であり、図２（ｂ）はカセット装着時ロックレバー拡大簡略図であり、図３（ａ）はロックレバー摺動溝図である。インクリボンカセット２と用紙カセット３はロック機構４によりロックされる構成となっている。ロック機構４はユーザにより操作される操作部材となるロックレバー部材４１、ロック部材４２、リンク部材４３、ロック部材付勢ばね４４、ロックレバー付勢ばね４５、これらの構成部品を保持しているカセットカバー１３、レバーカバー１４等で構成されている。また、ロック部材４２は、インクリボンカセット用４２ａと、用紙カセット用の２つのロック部材が用意されている。また、ロック部材４２を付勢するためのロック部材付勢ばねも、２つのロック部材に対応して２つよういされて図２（ａ）で示すように、インクリボンカセット２と用紙カセット３が装着される収納部に突出するようにそれぞれロック部材４２が備えられている。ロック部材４２の先端にはインクリボンカセット２と用紙カセット３と係合するインクリボンカセット係合部４２ａ、用紙カセット係合部４２ｂが備えられている。また、図２（ｂ）で示すようにロックレバー部材４１と当接し、ロックレバー部材４１の動きに追従して動作するカム構成をしているカムフォロア４２ｃ、４２ｄを備えている。４２ｃは、インクリボンカセット側のロック部材に、４２ｄは用紙カセット側のロック部材に設けられている。ロック部材付勢ばね４４はロック機構４の例えばカセットカバー１３やレバーカバー１４に保持されている引っ張りばねである。ロック部材４２は、それぞれ、図２中の上下方向にスライド可能なように構成されている。さらに、ロック部材４２はロック部材付勢ばね４４により、各々のカセット収納穴に向かって付勢されている。つまり、ロック部材はそれぞれ、カセットをロックする方向に付勢されている。ロック部材付勢ばね４４で付勢されているロック部材４２はカセットカバー１３やレバーカバー１４に構成されるロック部材規制部１４ａ、１４ｂと当接することで、図２（ａ）の位置になるように構成されている。またこのロック位置（待機位置）では、図２（ｂ）に示すように、カムフォロア４２ｃ、４２ｄが、カム溝４１ｃの両端に位置するようになっている。つまり、スライド可能に構成されたロック部材は、ロックレバー部材が操作されていない待機状態の場合は、ロック部材付勢バネ４４の付勢力により、係合部４２ａ，４２ｂがそれぞれのカセットをロックするロック状態の位置となる。図２（ａ）のロック状態となるよう、本実施形態では、ロック機構４を構成しているカバーの一部であるレバーカバー１４でロック部材４２の規制を構成しているが、この限りではない。例えば、ロック部材付勢ばね４４による付勢によりロック部材４２が所定の位置で静止するように規制出来ればよい。
【００１５】
プリンタ１にはユーザがインクリボンカセット２や用紙カセット３の取り出しを行う操作を行うために操作を行うロックレバー部材４１が備えられている。ロックレバー部材４１は操作を行うレバー操作部４１ａを備えており、カセットカバー１３やレバーカバー１４等で保持されているロックレバー付勢ばね４５の付勢によってスライドおよび回転せずに図２（ｂ）の位置に保持されている。ロックレバー付勢ばね４５はカセットカバー１３とレバーカバー１４に保持されて、ロックレバー部材４１の一部に当接し、ロック機構４の例えばレバーカバー１４に備えられている不図示の固定軸に当接されている。ロックレバー部材４１が垂直方向に移動した際に、ロックレバー付勢ばね４５の片側の先端に応力がかかるとロックレバー付勢ばね４５の片端には付勢力が働き、他端はレバーカバー１４に備えられている固定軸により保持される構成としている。このような構成にすることにより、ユーザがロックレバー４１を操作しないと、図２（ｂ）に示すような位置に保たれるように構成されている。
【００１６】
図３（ａ）のロックレバー摺動溝図に示すようにロックレバー部材４１の摺動ボス４１ｄがカセットロック機構４に備えられたレバー摺動溝１５に嵌合している構成としている。図３（ａ）は待機状態の位置を示しており、ロックレバー部材４１のレバー操作部４１ａの図中の上下方向の端部に摺動ボス４１ｄを備えている。レバー摺動溝１５は、レバー操作部４１ａの上下方向（ロックレバーのスライドが可能な方向）に設けられている。また、図３（ａ）の待機状態において、図中上側の摺動ボス４１ｄに対しては左方向に、下側の摺動ボス４１ｄに対しては右方向に円弧形状をした嵌合溝を形成している。ロックレバー部材４１の中心部には、ロックレバー部材４１を回転させた時に回転中心となる回転軸４１ｅが備えられている。そして摺動ボス４１ｄとレバー摺動溝１５を嵌合させることにより、ロックレバー部材４１が摺動溝１５に沿って、上下移動と回転移動が可能な構成としている。このように、ロックレバー部材４１は、図３（ａ）の待機状態から上方向および下方向にスライド移動可能であり、また、回転も可能な構成になっている。ロックレバー部材４１の操作をカセット取り出しに必要な３方向行えるような構成とすることにより、インクリボンカセット２と用紙カセット３のそれぞれの取り出しと、２つのカセットを同時に取り出しの操作を行うことが可能となる。ロック部材４２には、突起形状で先端がＲ形状をしているカム機能であるカムフォロア４２ｃ・４２ｄが備えられている。カムフォロア４２ｃ・４２ｄは、ロックレバー部材４１の操作部裏面に設けられているカム溝４１ｃであって、凹形状で楕円形状になっているカム溝に係合している。図２（ｂ）で示すように待機状態では、カム溝の楕円両先端部が当接した状態となっている。ロック部材４１を回転すると、図３（ｂ）のロックレバー回転時詳細図に示すように、カム溝４１ｃの楕円形状の側面部に当接して、ロックレバー部材の回転中印側にカムフォロア４２ｃ，４２ｄが移動する。カムフォロア４２ｃ、４２ｄの移動に連動して、ロック部材４２が各々のカセットから退避する方向に移動するような構成となっている。ロックレバー部材４１はリンク嵌合溝４１ｂとリンク部材４３に設けられている嵌合ボス４３ｂと嵌合しており、ロックレバー部材４１の移動に伴いリンク部材４３も追従して図３の上下方向に移動するような構成となっている。リンク部材４３は片端がロック機構４を構成しているロックレバー部材４１と連結しており、プリンタ１内で保持されて他端がプリンタ１に用紙切断機構として備えら得ているカッタユニット５と連結することが可能な構成としている。リンク部材４３のカッタユニット５が連結する端には、ロック溝４３ｃが備えられており、カッタユニット４５の用紙切断機構の刃が開いた時に刃と係合する構成としている。
【００１７】
本実施形態では、記録用紙にロール紙を用いており、プリンタ１内にカッタユニット５を備えている。不図示の印刷ヘッドにおいて、インクリボンカセットからのインクリボンを加熱し、用紙カセットから引き出したロール紙に熱転写して、イエロー、マゼンタ、シアン、オーバーコートと画像転写が行われる。そして、ロール紙に印刷を行った後に、印刷されている範囲のロール紙を所定サイズにカットするために、プリンタ１内の排紙口付近にロール紙をカットするための刃を備えたカッタユニット５が備えられている。印刷されたロール紙はカッタユニット５により所定のサイズにカットされた後、さらに搬送されて、プリンタ１外に排出される。図２で示す位置構成は、プリンタ１が非動作時であり、且つ、ユーザがロックレバーを操作をしてしない待機状態（ロック状態）の図である。
【００１８】
プリンタ１にインクリボンカセット２と用紙カセット３を装着する際の説明を下記に記す。プリンタ１の装置側面部に備えているカセットカバー１３を開き、プリンタ１の開口された箇所からインクリボンが装着されたインクリボンカセット２と記録用紙が装填された用紙カセット２をプリンタ１内に装着する。そして、印刷開始の指示を入力をすることでインクリボンのインクを記録用紙への印刷するための印刷動作が開始される。インクリボンカセット２と用紙カセット３をプリンタ１へ装填する際は、カセットカバー１３等に設けられたガイド穴１３ａに沿って図１中Ｘ方向に向けて挿入する。図１でＸ方向にむけてインクリボンカセット２を挿入すると、図２（ａ）で示すように、ロック部材４２先端に備えられている、インクリボンカセット係合部４２ａとインクリボンカセット２が係合して、プリンタ１内部の所定の位置でロックする構成となっている。また、図１でＸ方向にむけて用紙カセット３を挿入すると、図２（ａ）で示すように、ロック部材４２先端に備えられている、カセット係合部４２ａと、用紙カセットとが係合して、プリンタ１内部の所定の位置でロックする構成となっている。この位置はインクリボンと用紙がプリンタ１内に搬送可能な位置となっている。印刷時にインクリボンや用紙が適切な位置に配置されないと搬送中にエラーが生じてしまうため、インクリボン２と用紙カセット３の位置は精度が要求されることが多い。このため、Ｘ方向に挿入時に、不図示のばねによりＹ方向にインクリボン２と用紙カセット３をプリンタ１に付勢し、ロック部材４２によりロックされるまでは、カセットが中途半端な位置で留まらないようにすることが多い。また、プリンタ１に装着されているインクリボンカセット２および用紙カセット３は、それぞれ、取り出し方向に付勢されている。これば、それぞれのカセットの位置を安定させるために、片側に寄せる役目がある。また、カセットが取り出し側に付勢されていることにより、ロック部材４２によるロックを解除しただけで、自動的にカセットの一部がプリンタ内部から押し出されるので、簡単にカセットの取り出し操作を行うことができる。
【００１９】
ロックレバー４１を操作してインクリボンカセット２を取り出す際の各部品構成状態を図４のインクリボンカセット取り出し状態を参照して行う。図４（ａ）はインクリボンカセット取り出し時全体構成図であり、図４（ｂ）はインクリボンカセット取り出し状態拡大簡略図である。インクリボンや用紙の交換は、インクリボンカセット２や用紙カセット３を取り出して行う。ユーザがレバー操作部４１ａを図４（ａ）中のＡ方向（図の下方向）に操作してロックレバー部材４１をスライド移動させると、インクリボンカセット２をロックしているロック部材４２のカムフォロア４２ｃが、カム部と当接しているため移動する。つまり、ロックレバー部材４１に連動してロック部材４２が、図２（ａ）の状態から、Ａ方向に移動して、図４（ｂ）の状態になり、インクリボンカセット２と係合部４２ａが干渉しない位置に移動してロックが解除される。このとき、図４（ｂ）で示すように、カム溝４１ｃとカムフォロア４２ｃが当接しており、カムフォロア４２ｃは、カム溝４１ｃのＡ方向とは逆側の端部に接しているので、ロックレバー部材４１をＡ方向に移動すると、カムフォロア４２ｃはＡ方向に移動する。つまり、ロックレバー部材４１の移動に追従してインクリボンカセット２から退避する方向にロック部材４２も移動することになる。この時、用紙カセット３側のロック部材４２は、カムフォロア４２ｄとカム溝４１ｃが離間した状態となる。用紙カセット３側のロック部材４２は、Ａ方向に付勢されているが、ロック部材規制部１４ａにより位置を規制されているため、これ以上Ａ移動せずに方向には移動せず位置を保っている。また、リンク嵌合溝４１ｂと嵌合ボス４３ｂが嵌合しているので、ロックレバー部材４１をＡ方向に移動させると、追従してリンク部材４３が移動することになる。インクリボンカセット係合部４２ａとインクリボンカセット２の当接が離間するまで、ロックレバー部材４１を移動させると、ロック部材４２がインクリボンカセット２を保持しているインクリボンカセット係合部４２ａの当接が離間する。そして、インクリボンカセット２のロックが解除された状態となり、プリンタ１不図示の付勢バネにより、プリンタ１内から図１中のＸと反対方向のＹ方向に押し出されてインクリボンカセットを取り出せる状態となる。ロック部材４２はロック部材付勢ばね４４により、インクリボンカセット２収納部方向（ロック方向）に付勢されており、且つ、ロックレバー部材４１はロックレバー付勢ばね４４により図２の位置になるように付勢している。そのため、ロックレバー部材４１のＡ方向への操作をやめると、ロック部材付勢ばね４４のばねの付勢力により、図２で示すような待機状態の位置に戻る。図４では、インクリボンカセット２を取り出す際の状態を示した図であり、上述によりインクリボンカセット２を取り出す構成を説明しているが、用紙カセット３を取り出す時の構成も同様である。インクリボンカセット２を取り出す際は、ロックレバー部材４１をインクリボンカセット２収納部から退避する、Ａ方向に操作してロック部材４２をインクリボンカセット２から退避させた。これに対して、用紙カセット３を取り出す際は、Ａとは反対のＡ´方向に、ロックレバー部材���１を操作する。すると、用紙カセット３収納部と反対側のＡ´方向に操作することによって、用紙カセット３と用紙カセット係合部４２ｂの当接が離間する。そして、用紙カセット３のロックが解除してプリンタ１から取り出すことが可能となる。ロックレバー４１をＡ´方向にスライド移動させたときは、カム溝４１ｃのＡ´方向の後方の端部に位置しているフォロア４２ｄは、カム溝４１ｃの端部に当接してＡ´方向に移動する。カム溝４１ｃによりカムフォロア４２ｄがＡ´方向に移動することで、用紙カセット側のロック部材４２がＡ´方向に移動して係合部４２ｂによる用紙カセットのロックが解除される。カムフォロア４２ｃは、Ａ´方向側の端部に位置しているので、ロックレバー４１をＡ´方向にスライドさせても、カム溝４１ｃとは干渉せず、移動しない。もしくは、インクリボンカセット側のロック部材４２は付勢バネ４４によりＡ´方向に付勢されているが、ロック部材規制部１４ａに当接することにより移動しない。
【００２０】
インクリボンカセット２と用紙カセット３を同時に取り出す際の構成における説明を図５のカセット同時取り出しに状態の図を参照に行う。図５（ａ）はカセット同時取り出し時全体構成図となり、図５（ｂ）はカセット同時取り出し状態拡大簡略図となる。図５（ａ）で示すように、ロックレバー部材４１を図中Ｂ方向に回転させるとロック部材４２がインクリボンカセット２と用紙カセット３から退避するような構成となっている。図５（ｂ）で示すように、ロックレバー部材４１をＢ方向に回転させると、インクリボンカセット２側のロック部材４２のカムフォロア４２ｃと用紙カセット２側のロック部材４２のカムフォロア４２ｄがカム溝４１ｃカム面に当接しながら移動する。カムフォロア４２ｃ，４２ｄはカム溝に案内されて、回転中心側に移動するような楕円形状のカム構成になっている。これにより、ロック部材４２がインクリボンカセット２の収納部と用紙カセット３の収納部から退避して移動する。そのため、インクリボンカセット２と当接しているインクリボンカセット係合部４２ａと用紙カセット３と当接している用紙カセット係合部４２ｄが退避し当接が離間する。これにより、インクリボンカセット２と用紙カセット３の両方のロックが同時に解除され、両方のカセットを取り出すことが可能となる。ロックレバー部材４１の回転により、リンク部材４３も追従して移動する構成となっている。ロックレバー部材とリンク部材４３が嵌合しているリンク嵌合溝４１ｂの形状は略長方形となっており、ロックレバー部材４１の垂直方向の移動と回転方向の移動に対して、リンク部材４３は常に垂直方向のみの移動を行うような構成となっている。カセットを別々に取り出す際と同様に、ロックレバー部材４１の回転方向操作を解除すると、ロック部材４２はロック部材付勢ばね４４により、ロックレバー部材４１はロックレバー付勢ばね４５により、図２のような待機状態の位置に保持される。本実施形態では、インクリボンカセット２と用紙カセット３を別々に取り出すための構成を可能とするロックレバー部材４１の垂直２方向の移動と、該両カセットを同時に取り出すためのロックレバー部材４１を１回転方向の動作を行っている。
【００２１】
プリンタ１で印刷動作を実行している際は、インクリボンカセット２内に収納されているインクリボンは巻きとりボビンにより巻きとられていたり、用紙カセット３内に収納されるロール紙がプリンタ１内に搬送されていたりする。このような時にインクリボンカセット２や用紙カセット３を取り出してしまうと、プリンタ１内で搬送されているロール紙や印刷機構部で圧着しているインクリボンがプリンタ１内で詰まり、ジャムを起こしてしまう。このようなことを防ぐために印刷動作中はカセットを取り出せないようにするインターロック機構を設けていることが多い。本実施形態では、インターロック機構をロックレバー部材４１とリンク部材４３、そして、カッタユニット５を用いて行っている。
【００２２】
図６（ａ）はプリンタ１の概略構成を斜め上方から見た、インターロック時概略図となり、この図を用いて本実施形態のインターロック構成を説明する。カッタユニット５はロール紙を任意の長さに切断するための機構であり、カッタホルダ５１と可動刃５２、固定刃５３を備えている。例えば、図２のように印刷待機状態の際には、プリンタ１内にゴミ等の異物が混入して印刷物の品位が損なわないようにしたり、カッタの刃を触って怪我をしないようにしたりするために、カッタユニット５内において可動刃５２と固定刃５３は閉じた状態にある。不図示の印刷ボタン等を押圧することにより印刷開始動作を行うと、用紙カセット３内のロール紙がプリンタ１内に搬送されていくが、ロール紙の搬送経路を開放状態にするために、可動刃５２が固定刃５３から離間し、カッタユニット５が開いた状態になる。図６（ｂ）のロック部構成図で示すように、リンク部材４３には、可動刃５２と係合するロック溝４３ｃを備えている。そして、カッタユニット５が開いた時、つまり、可動刃５２が退避状態に移動した位置では、図６で示すようにリンク部材４３のロック溝４３ｃと可動刃５２が係合した状態になる。リンク部材４３とカッタユニット５の可動刃５２が係合した状態になると、リンク部材４３はこの状態で保持され、移動することが出来なくなりロック状態になる。リンク部材４３がロック状態になると、リンク部材４３と嵌合しているロックレバー部材４１も移動することが出来ず、操作して移動することが出来なくなる。インクリボンカセット２と用紙カセット３を取り出す際はロックレバー部材４１を操作してロック部材４２とカセットのロックを解除して取り出す。そのため、ロックレバー部材４１が操作出来ない状態であると、インクリボンカセット２と用紙カセット３も取り出すことが出来ない状態となるためロックを解除できない状態となる。上述のように、印刷動作を開始させると、カッタユニット５のカッタが開いた状態に移動させるので、可動刃５２とリンク部材４３が係合してロック状態となり、インクリボンカセット２と用紙カセット３が取り出せないインターロックされている状態となる。印刷動作が終了すると、カッタユニット５は閉じた状態の待機位置で保持されるため、可動刃５２とリンク部材４３が係合しない状態であるため、インターロックされていない状態なので、インクリボンカセット２と用紙カセット３は取り出すことが可能となる。
【００２３】
本実施形態では印刷機構の一部であるカッタユニット５とリンク部材４３を係合させてインターロックを行いカセットを取り出せないようにしているが、この限りではない。他の構成によりロックレバーのスライドおよび回転の操作を規制する規制機構を実現してもよい。また、カッタユニットではなく、印刷ヘッド、用紙搬送機構等の他の印刷機構に連動させて規制機構を実現してもよい。印刷動作を行うと動作する印刷機構に連動させるのが望ましい。
【００２４】
上述の実施形態では、本発明のロック機構を有するプリンタについて説明したが、本発明のロック解除機構は、プリンタ以外の装置においても適用可能である。２つの異なるロックを有する装置であれば、どのような装置においても適応可能である。
【図１】
2013107339.tif 000003
【図２】
2013107339.tif 000004
【図３】
2013107339.tif 000005
【図４】
2013107339.tif 000006
【図５】
2013107339.tif 000007
【図６】
2013107339.tif 000008